(57)【要約】【課題】  犬が脱糞時において、枠に取り付けた袋に糞が落下途中で受け取ると共に枠が開閉できる犬の糞取り用具を提供する。    【解決手段】  アルミ製平板で中心線で二分割した半円形の前枠１と後枠２の左右端部にアルミ製Ｌ形の連結板３を取り付けてそれぞれを蝶番４で蝶着する。前枠１、後枠２にバネ鋼製で突起部付半円の袋押え５を左右端部付近に遊嵌し、袋押え５で袋を係止するピン６と挟着する押え受け７を前枠１、後枠２の円周上の任意の位置に設ける。後枠２には二本のアルミ製棒鋼でＬ形の下部とフック形の上部で形成する柄８の下部Ｌ形を中央部分に嵌入する。【選択図】図１
2011193755.tif 000002
【特許請求の範囲】
【請求項１】
アルミ製平板で中心線で二分割した半円形の前枠と後枠の左右端部にアルミ製Ｌ形の連結板を取り付けてそれぞれを蝶番で蝶着する。前枠、後枠にバネ鋼製で突起部付半円の袋押えを左右端部付近に遊嵌し、袋押えで袋を係止するピンと挟着する押え受けを前枠、後枠の円周上の任意の位置に設ける。後枠には二本のアルミ製棒鋼でＬ形の下部とフック形の上部で形成する柄の下部Ｌ形を中央部分に嵌入したことを特徴とする犬の糞受け用具。
【請求項２】
前枠と連結板、後枠と連結板を合成樹脂で一体成形したことを特徴とする請求項１に記載の犬の糞取り用具。
【請求項３】
糞挟みを紐で柄のＬ形部分に捲着し、又、柄の長手方向上部に円筒形乾電池ライトをバンドで取り付けたことを特徴とする請求項１乃至２に記載の犬の糞取り用具。
【発明の詳細な説明】
【技術分野】
【０００１】
犬が散歩時に排便する糞を地面に落下する途中で化成品の袋に直接捕捉できる開閉可能な犬の糞受け用具に関する。
【背景技術】
【０００２】
従来、犬の散歩時の糞処方法は、スコップで掬いレジ袋等に入れて持ち帰る、市販の糞取り器を使用して落下途中で受け取るか落ちたのを掬って容器に入れる、新聞紙、チラシ、ティシュペーパー等を広げてその上に受け取って持ち帰る、の三方法に大別されるが、一部の心無い人はそのまま放置して帰る場合も多く見られ現在も一向に改善されておらず犬糞公害として社会的な問題となっている。
【０００３】
理想的な犬の糞処理方法は、前述の三方法の中では糞を途中で受け取ることである。一旦地面に落としてしまうと落ちた場所の糞は完全には取りきれない場合が多いので不潔となり特に軟便は厄介である。従って、犬糞の無い清潔な環境をつくるには、犬の糞を途中で受け取ることが最善であり、これに使用するための糞取り用具が各種開発され市販もされている。
【０００４】
「犬のウンチで汚れていない街づくり」を目指して活動を開始している「犬のふん取り法：ふん受け方法の普及をお手伝いするボランティアグループ」のＨＰによれば、犬の糞受け用具は現在まで５０種類以上が市販されているとのことである。これら市販品は、受け、柄、受け袋で構成されており、受けは、その構造により受け枠、受け箱、布製袋、網袋等を使用し、柄は、短柄、長柄、伸縮柄、中折れ柄等の種類があり、受け袋には、専用袋、汎用市販品袋、スーパーレジ袋等を使用し、袋には、透明、不透明、消臭袋等がある。又、受け袋を使用せず、受け、受け箱等で直接糞を受けとり、後で水洗いする種類もある。従って、それぞれに特徴があるので、糞受け用具は、ペットショップ、ホームセンター等で実物見て飼い犬あったのを選定すればよいが、現状の売り場には、犬に関する他の用品は種類、数共に溢れているが糞取り関係の用品は非常に少ない。その原因は、それぞれに一長一短があり選定が難しく、飼い主には従来のビニール袋とスコップと言う固定観念が浸透しており犬糞を途中で受け取ると言う意識が少ないのではないかと推察する。
【０００５】
本発明者は、先に、市販品に無い特徴のある犬の糞受け用具として、合金、合成樹脂等成形可能な素材よりなる中心線で２分割した左右対称の枠の外周に押え棒受け段差と、枠両端外周上部に押え棒制動用の突起部を設け、枠両側に化成品袋を突起部と、棒受け用段差で挟持する弾性を有する複数のつまみ付の押え棒を軸着し、左右の枠が重合できるように蝶着する。更に、片方の枠中央下側に合金、合成樹脂等の素材によりなる蝶着片を蝶着し、この蝶着片に、１本の合金、合成樹脂の丸棒又はパイプを中央より並列に曲げて蝶着片に差し込み固定して柄とする形態を提案している。（特許文献１）
【先行技術文献】
【特許文献】
【０００６】
【特許文献１】特開２００２−０００１０８
【発明の概要】
【発明が解決しようとする課題】
【０００７】
発明が解決しようとする課題は、現在市販されている製品は犬糞を落下途中で受け取るが、それぞれ枠の形状、使用する袋の種類、受け袋の止め方、犬糞を受ける状態、価格等を個々に検討した場合に決定的な要因が無く、更なる改良を加えて使い勝っての良い製品にしなければ一般に受け入れられない。従って、市販と名がついていても一般に流通している商品は少なく、犬糞処理に対する関心は低く従来の方法での処理方法が当たり前となっているように思える。肝心なことは、犬の糞は途中で受け取るのが社会通念となるように行政が積極的に取り組んでくれれば（例えば犬の糞受け用具への補助制度）犬の糞に対する長年の苦情は解決すると確信する。又、本発明者の前述の提案では前枠と後枠を合金、合成樹脂等成形可能な素材としているので後加工も含めて製造コストが高くなり、機能的には優れていても価格を高く設定しなくてはならないのと更なる利便性も求められている。又、共通して言えることは犬糞を受ける際に受け損なった場合とか夜間の散歩時にどう対処するかも課題に加えなくてはならない。
【課題を解決するための手段】
【０００８】
上記の課題を解決するための手段は、アルミ製平板で中心線で二分割した半円形の前枠と後枠の左右端部にアルミ製Ｌ形の連結板を取り付けてそれぞれを蝶番で蝶着する。前枠、後枠にバネ鋼製で突起部付半円の袋押えを左右端部付近に遊嵌し、袋押えで袋を係止するピンと挟着する押え受けを前枠、後枠の円周上の任意の位置に設ける。後枠には二本のアルミ製棒鋼でＬ形の下部とフック形の上部で形成する柄の下部Ｌ形を中央部分に嵌入する。
【０００９】
デザイン、色、価格等によっては、前枠と後枠及び連結板をアルミ製に代えて合成樹脂で一体成形とする。
【００１０】
糞を袋に受け損なった場合に備えて糞挟みを紐で柄のＬ形部分に捲着する。又、夜間用に柄の長手方向上部に円筒形乾電池ライトをバンドで取り付ける。
【発明の効果】
【００１１】
本発明の犬の糞受け用具は、半円形で構成する前枠と後枠に化成品袋の口を内側から外側に被せ前枠と後枠に取り付けた袋押さえとピンで袋を係止と挟着することによりしっかりと取り付けられるので犬が排便時に大量の糞であっても袋に受けて外れることはない（１ｋｇでも可）。終了時には前枠を持ち上げて後枠に重ねることにより蓋をした半密閉状態となるので衛生的であり見た目も良い。又、受け損なった場合には付属の糞挟みを使用することにより手際よく対処することができる。
【００１２】
更に、柄に円筒形乾電池ライトを取り付ければ糞受け用具と一体となるので単独で持つ必要がなく夜間の散歩が安心してできる。
【００１３】
枠に装着する袋は、枠にセットできる大きさであればスーパーのレジ袋も使用でき専用袋は必要としないが最近はレジ袋も減る傾向にある。従って、毎日使用するので安価な専用袋として本犬糞受け具には市販品の３０形（幅３００×高さ３５０）が容易にセットできる寸法で構成している。（袋１枚当り約３円）
【図面の簡単な説明】
【００１４】
【図１】犬の糞受け用具の正面図である。
【図２】犬の糞受け用具の平面図である。
【図３】犬の糞受け用具図２のＡ−Ａ断面図である。
【図４】犬の糞受け用具に袋を取り付けた正面図である。
【図５】犬の糞受け用具の使用実施例を示す正面図である。
【発明を実施するための形態】
【００１５】
半円形の前枠と後枠が重合できるように中心線上で蝶着し、それぞれの外周沿って袋取付け用の袋押えと係止用のピン、挟着用の押え受けを設けると共に、持ち歩きと犬糞受けが容易に行える上部にフック形を有する柄を後枠中央部分に直角に嵌入する。必要に応じて、犬糞拾い用の糞挟みを紐で柄の下部に捲着して掛ける。又、夜間用に円筒形乾電池ライトを柄上部にバンドで取り付ける。
【実施例】
【００１６】
以下、本発明の実施例を図面に基づいて説明する。図１は本発明に係わる犬の糞取り用具の正面図、図２は平面図、図３は図２のＡ−Ａ断面図、図４は袋を取り付けた正面図である。半円形の前枠１と後枠２の端部にＬ形の連結板３をそれぞれ取り付け、上面を蝶番４で蝶着する。前枠１と後枠２に外周似沿う突起部付の袋押え５を遊嵌し、ピン６と押え受け７を嵌入する。ピン６と押え受け７は袋押え５で袋Ａの係止と挟着を行う。袋Ａの取り付けは、袋押え５の突起部分を持って上方に持ち上げておき袋Ａの口を前枠１、後枠２の内側から外側に被せて袋押え５を下げればピン６に干渉して袋Ａが４点で挟まれ固定される。更に、押え受け７に袋Ａの口を伴って挟着するので袋Ａは枠１，２にしっかりと固定される。取り外しは袋押え５を持ち上げれば外れるので取り出して袋Ａの口を結ぶ。尚、連結板３と前枠１、後枠２、蝶番４の取り付けは市販のブライングリベットを使用すれば簡単に行える。従って、本実施例の図面ではブライングリベットで図示している。
【００１７】
図５は犬の糞受け用具の使用実施例を示す正面図である。通常の使用方法は前後枠１，２に袋Ａを取り付けたら前枠１を後枠２に折り畳み犬の散歩時に持っていく。犬が排便動作にはいったら前枠１の袋押え５の突起部を手で持って開き犬の尻の下に差しだして落下途中の糞Ｂを受ける。この際に運悪く糞Ｂを受け損なった時には紐１０で連結してある糞挟み９で挟んで袋Ａに入れた後、手で元に戻せば糞Ｂの入った袋Ａが半密閉状態となる。犬によっては再び排便を繰り返す時には最初の動作を繰り返す。持ち帰ったら袋Ａを外して口を結び行政に従って処分する。糞挟み９は市販のキッチントングが適しており通常は柄８の下部に掛けておく。又、早朝、夜間等暗い時間帯の散歩時には安全上ライトを必要とするが柄８に円筒形乾電池ライト１１を着脱容易なバンド１２で取り付ける。
【産業上の利用可能性】
【００１８】
様々な場所で見受けられる放置された犬の糞は飼い主のモラルの低さが最大の原因であるが行政においても啓発運動（立て札、文書）は盛んであっても具体的な用具の斡旋はなされていないのが現状である。犬糞取りの理想の形態は糞を落下途中で受け取ることであり本発明の犬の糞受け用具はこれをより効果的に行える製作容易な製品である。本体にアルミ材とバネ鋼材、柄にアルミ棒を使用しているので樹脂製と比較すると成型の必要が無く機械加工のみでよいので容易に製作できると共に堅牢である。又、袋の取り付け、取り外しもワンタッチ感覚で行えるし、柄の上部がフック形なので持ち歩きが便利あり枠に対して９０度の枠は立ったまま使用できる。使用後には袋が半密閉状態に保てるので清潔感があり繰り返しの使用が簡単に行えるし糞受けに失敗した時の対策も糞挟みによって解決できる。又、柄の上部に取り付けた円筒形乾電池ライト１１は柄８の２本の棒が平行しているのでこの間に円筒の一部がはまり込む為バンド１２で固定するだけで安定した状態となり夜間の散歩時に別に持たなくてもよい。従って、現在市販されている糞受け用具とは異なった特性があり量産により適正な価格が設定されれば全国に普及していく製品となる可能性大と確信する。
【符号の説明】
【００１９】
１    前枠                Ａ  袋        
２    後枠                Ｂ  犬糞                              
３    連結板                              
４    蝶番                                      
５    袋押え                  
６    ピン              
７    押え受け                    
８    柄  
９    糞挟み
１０  紐
１１  円筒形乾電池ライト    
１２  バンド          
【図１】
2011193755.tif 000003
【図２】
2011193755.tif 000004
【図３】
2011193755.tif 000005
【図４】
2011193755.tif 000006
【図５】
2011193755.tif 000007